(57)【要約】【課題】簡単に持ち去り防止を可能にする。【解決手段】本実施形態におけるホルダー１００は、Ｘ線撮影装置に設けられ、該Ｘ線撮影装置を無線で操作するための操作装置を着脱可能に保持するホルダーであって、Ｘ線撮影装置の非稼働時において操作装置の取り外しを阻止し、Ｘ線撮影装置の稼働時において操作装置の取り外しを可能にする。【選択図】図５
2017035135.tif 000002
【特許請求の範囲】
【請求項１】
本体装置に設けられ、該本体装置を無線で操作するための操作装置を着脱可能に保持する保持機構であって、
前記本体装置の非稼働時において前記操作装置の取り外しを阻止し、前記本体装置の稼働時において前記操作装置の取り外しを可能にする持ち去り防止部を備えることを特徴とする、保持機構。
【請求項２】
前記持ち去り防止部として、前記操作装置の取り外しを阻止するロック状態と、前記操作装置の取り外しを可能にする非ロック状態とに切り換えるロック機構を備え、
前記ロック機構は、前記本体装置の非稼働時に前記ロック状態となり、前記本体装置の稼働時に前記非ロック状態となることを特徴とする、請求項１に記載の保持機構。
【請求項３】
前記ロック機構は、前記本体装置の非稼働時に、当該ロック機構に対して電力供給されなくなることにより前記ロック状態となり、前記本体装置の稼働時に、当該ロック機構に対して電力供給されることにより前記非ロック状態となることを特徴とする、請求項２に記載の保持機構。
【請求項４】
前記操作装置の外面の少なくとも一部に当接して、該操作装置を保持する当接部材を備え、
前記ロック機構は、前記当接部材に設けられた孔から出没自在なフックを有する可動部材と、該可動部材を駆動する駆動装置と、前記当接部材の孔から前記フックが突出する方向に付勢する弾性部材とを、含み、
前記可動部材は、前記本体装置の非稼働時には、前記駆動装置が非駆動であることで付勢方向に移動して前記フックが前記操作装置と係合することにより前記ロック状態となり、前記本体装置の稼働時には、前記駆動装置が駆動することで付勢方向に抗する方向に移動して前記フックが前記操作装置との係合を解除することにより前記非ロック状態となることを特徴とする、請求項３に記載の保持機構。
【請求項５】
前記ロック機構は、
ソレノイドと、弾性部材とを備え、
前記本体装置の非稼働時に、前記ソレノイドに対して電力供給されなくなり、前記弾性部材による力によって前記ロック状態となり、前記本体装置の稼働時に、前記ソレノイドに対して電力供給され、該ソレノイドによる力によって前記非ロック状態となることを特徴とする、請求項３に記載の保持機構。
【請求項６】
前記操作装置の外周には、前記フックが係合する係合孔を有し、
前記可動部材は、前記ロック状態で該操作装置が装着される場合、前記フックが前記操作装置に当接することにより該フックの突出が押し戻されており、前記フックが前記係合孔に対向したときに、前記押し戻されていた前記フックが突出して、前記フックが前記係合孔に係合することを特徴とする、請求項４に記載の保持機構。
【請求項７】
前記ロック機構は、前記操作装置が装着されていない状態で前記ロック状態となった後に、該操作装置が装着された場合でも、該操作装置の取り外しを阻止した状態とすることを特徴とする、請求項２に記載の保持機構。
【請求項８】
請求項１〜７のいずれか一項に記載の保持機構と、
前記本体装置として、Ｘ線を検出してＸ線画像を生成するＸ線撮影装置とを備えることを特徴とする、Ｘ線撮影ユニット。
【発明の詳細な説明】
【技術分野】
【０００１】
本発明は、操作装置の保持機構、Ｘ線撮影ユニットに関する。
【背景技術】
【０００２】
患者にＸ線を照射し、患者を透過したＸ線を検出して画像を生成するＸ線撮影装置が知られている。従来、Ｘ線撮影装置の操作には、有線タイプの操作装置が主に使用されていた。
【０００３】
また、Ｘ線撮影装置は、無線タイプの操作装置も生産されてきており、例えば特許文献１のように、電波や赤外線で操作するリモコンを用いて、Ｘ線撮影装置を操作することが可能になっている。
【先行技術文献】
【特許文献】
【０００４】
【特許文献１】米国特許第５，２０６，８９４号明細書
【発明の概要】
【発明が解決しようとする課題】
【０００５】
しかしながら、以前は、撮影室でＸ線撮影装置が使用されることが多かったため、特許文献１に記載のような無線タイプのリモコンの場合について、撮影技師が操作装置を引出に入れ施錠するなどの対策で十分であったが、近年は病院へ巡回して撮影する場合が増えているため、第３者による操作装置の持ち去りの対策を取る必要がある。また、このような問題は、Ｘ線撮影装置に限らず、無線タイプのリモコンを有する装置であれば、同様の対策が必要となる。
【０００６】
本発明は、上記課題を解決するためになされたものであり、この発明の目的は、簡単に持ち去り防止が可能な操作装置の保持機構およびＸ線撮影ユニットを提供することである。
【課題を解決するための手段】
【０００７】
上記の課題を解決するために、本発明の一態様に係る保持機構は、本体装置に設けられ、該本体装置を無線で操作するための操作装置を着脱可能に保持する保持機構であって、前記本体装置の非稼働時において前記操作装置の取り外しを阻止し、前記本体装置の稼働時において前記操作装置の取り外しを可能にする持ち去り防止部を備える。
【０００８】
上記の構成によれば、本体装置の非稼働時に操作装置の取外しを阻止し、稼働時に操作装置の取外しを可能にするので、本体装置を使用しない時に取外しを阻止し、本体装置を使用するときに取外しを可能にする。これにより、使用していないときに本体装置と一緒に操作装置を管理することができ、また移動中において操作装置から目を離した隙に持ち去られるといった問題もない。したがって、簡単に持ち去り防止が可能な操作装置の保持機構を提供することができる。
【０００９】
また、本発明における保持機構は、前記持ち去り防止部として、前記操作装置の取り外しを阻止するロック状態と、前記操作装置の取り外しを可能にする非ロック状態とに切り換えるロック機構を備え、前記ロック機構は、前記本体装置の非稼働時に前記ロック状態となり、前記本体装置の稼働時に前記非ロック状態となる。
【００１０】
上記構成によれば、本体装置の非稼働時に操作装置をロック状態にし、稼働時に操作装置を非ロック状態にするので、本体装置を使用しない時にロックし、本体装置を使用するときにロック解除することができる。これにより、使用していないときにも本体装置と一緒に操作装置を管理することができ、また移動中において操作装置から目を離した隙に持ち去られるといった問題もない。
【００１１】
また、本発明における保持機構において、前記ロック機構は、前記本体装置の非稼働時に、当該ロック機構に対して電力供給されなくなることにより前記ロック状態となり、前記本体装置の稼働時に、当該ロック機構に対して電力供給されることにより前記非ロック状態となる。
【００１２】
上記の構成によれば、電源オンまたは電源オフの切り換えに応じて、ロック状態または非ロック状態を切り換えることができる。
【００１３】
また、本発明における保持機構は、前記操作装置の外面の少なくとも一部に当接して、該操作装置を保持する当接部材を備え、前記ロック機構は、前記当接部材に設けられた孔から出没自在なフックを有する可動部材と、該可動部材を駆動する駆動装置と、前記当接部材の孔から前記フックが突出する方向に付勢する弾性部材とを含み、前記可動部材は、前記本体装置の非稼働時には、前記駆動装置が非駆動であることで付勢方向に移動して前記フックが前記操作装置と係合することにより前記ロック状態となり、前記本体装置の稼働時には、前記駆動装置が駆動することで付勢方向に抗する方向に移動して前記フックが前記操作装置との係合を解除することにより前記非ロック状態となる。
【００１４】
また、本発明における保持機構において、前記ロック機構は、ソレノイドと、弾性部材とを備え、前記本体装置の非稼働時に、前記ソレノイドに対して電力供給されなくなり、前記弾性部材による力によって前記ロック状態となり、前記本体装置の稼働時に、前記ソレノイドに対して電力供給され、該ソレノイドによる力によって前記非ロック状態となる。
【００１５】
また、本発明における保持機構は、前記操作装置の外周には、前記フックが係合する係合孔を有し、前記可動部材は、前記ロック状態で該操作装置が装着される場合、前記フックが前記操作装置に当接することにより該フックの突出が押し戻されており、前記フックが前記係合孔に対向したときに、前記押し戻されていた前記フックが突出して、前記フックが前記係合孔に係合する。
【００１６】
また、本発明における保持機構において、前記ロック機構は、前記操作装置が装着されていない状態で前記ロック状態となった後に、該操作装置が装着された場合でも、該操作装置の取り外しを阻止した状態とする。
【００１７】
上記の構成によれば、ロック状態となった後に操作装置が装着されても、該操作装置のロックを掛けることができる。
【００１８】
また、上記課題を解決するために、本発明におけるＸ線撮影ユニットは、前記保持機構と、前記本体装置として、Ｘ線を検出してＸ線画像を生成するＸ線撮影装置とを備える。
【００１９】
上記の構成によれば、簡単に持ち去り防止が可能なＸ線撮影ユニットを提供することができる。
【発明の効果】
【００２０】
本発明の一態様によれば、簡単に持ち去り防止ができるといった効果を奏する。
【図面の簡単な説明】
【００２１】
【図１】本実施の形態におけるＸ線撮影ユニットの外観を示す図である。
【図２】本実施の形態における本体装置を操作する操作装置をホルダーとともに示す斜視図である。
【図３】本実施の形態における操作装置を示す図である。
【図４】本実施の形態における操作装置の操作手順を示す図である。
【図５】本実施の形態におけるホルダーを示す図である。
【図６】本実施の形態におけるホルダーの内部構成を示す図である。
【図７】操作装置がホルダーに装着された状態における断面図である。
【発明を実施するための形態】
【００２２】
以下、本発明の実施形態について図面を参照して説明する。図１は、本実施の形態におけるＸ線撮影ユニットの外観を示す図である。図２は、本実施の形態における本体装置を操作する操作装置をホルダーとともに示す斜視図である。
【００２３】
図１，２に示されるように、Ｘ線撮影ユニット３００は、患者にＸ線を照射し、患者を透過したＸ線を検出してＸ線画像を生成するものであって、Ｘ線撮影装置（本体装置）１と、ホルダー（保持機構）１００と、操作装置２００を備える。Ｘ線撮影装置１には、ホルダー１００が設けられ、ホルダー１００によって操作装置２００を着脱可能に保持する。
【００２４】
図３（ａ）〜（ｂ）および図４は、本実施の形態における操作装置を示す図である。操作装置２００は、Ｘ線撮影装置１に対して無線で操作するためのリモートコントローラである。
【００２５】
図３（ａ）〜（ｂ）に示されるように、操作装置２００は、略円柱形状であり、ユーザが操作装置２００の周面を握りながら、メインスイッチ２１０を親指で、オプションスイッチ２２０を人差し指で操作できるよう、操作装置２００の上面に設けられたメインスイッチ２１０と、周面の上部に設けられたオプションスイッチ２２０とを含む。以下、オプションスイッチ２２０を有する側を操作装置２００の表面側、その反対側を操作装置２００の裏面側として説明する。
【００２６】
操作装置２００は、メインスイッチ２１０の押下により、Ｘ線撮影の指示をＸ線撮影装置に出力することが可能であり、オプションスイッチ２２０の押下により、Ｘ線撮影装置１が有する照明器具の照明をオンまたはオフするための指示をＸ線撮影装置１に出力することが可能である。
【００２７】
具体的に、メインスイッチ２１０は、ユーザにより押下されていない原点位置の異なる第１，２スイッチ部材２０１，２０２を備えた２段階で動作するスイッチである。第１スイッチ部材２０１は、原点位置からのストローク距離が第２スイッチ部材２０２より長く設定されている。
【００２８】
操作装置２００は、ユーザにより第１スイッチ部材２０１が第２スイッチ部材２０２の原点位置まで押下されると、Ｘ線撮影回路を充電する指示を（ホルダー１００を介して）Ｘ線撮影装置１に出力する（図４（ａ）〜（ｃ）参照）。その押下された状態が所定時間保持されるとＸ線撮影回路の充電が完了して、撮影可能な状態となる。そして、第１スイッチ部材２０１とともに第２スイッチ部材２０２が押し込まれ、フルストロークすることにより、Ｘ線撮影する指示を（ホルダー１００を介して）Ｘ線撮影装置１に出力する（図４（ｄ）参照）。
【００２９】
また、操作装置２００は、Ｘ線撮影装置１に設けられたホルダー１００に収容可能であるとともに、ホルダー１００によってロックしておくことも可能である。操作装置２００は、係合孔２４１，２４２と溝部２３１，２３２とが周面に形成される。具体的に、表面側において、オプションスイッチ２２０より下方に形成された第１係合孔２４１と、裏面側において、第１係合孔２４１に対向して形成された第２係合孔２４２とを含む。溝部２３１，２３２は、表面側と裏面側の境目に１つずつ形成され、側面の中段付近に位置する。
【００３０】
図５は、本実施の形態におけるホルダーを示す図である。図５に示されるように、ホルダー１００は、正面側および上面側が開放された箱型形状のホルダー本体１１０と、ロック機構（持ち去り防止部）１３０（図６，７参照）と、ホルダー本体（当接部材）１１０の背面側に取り付けられるカバー１４０とを備える。ホルダー本体１１０は、操作装置２００を挿入可能な開口部１１４を下面側に有し、操作装置２００を保持するためのガイド部１１１，１１２を両側面側に有している。具体的には、操作装置２００の下部側から開口部１１４に向けて操作装置２００が挿入されるときに、操作装置２００の溝部２３１，２３２がガイド部１１１，１１２にスライド式に嵌め込まれることにより、操作装置２００がホルダー本体１１０に所定位置で保持される。
【００３１】
これにより、操作装置２００の表面側（オプションスイッチ２２０および第１係合孔２４１）が正面側に露出し、操作装置２００の裏面側を背面側に向けた状態で収容される。
【００３２】
また、ホルダー１００は、操作装置２００をロックするためのロック機構１３０を背面側に有し、Ｘ線撮影装置１の非通電時（非稼働時）にロック状態となり、通電時（稼働時）にロック解除状態となる。
【００３３】
図６は、ホルダーの内部構成を示す図である。図７（ａ）〜（ｄ）は、操作装置がホルダーに装着された状態における断面図である。図６，７（ａ）〜（ｄ）に示されるように、ホルダー１００は、ロック機構１３０として、ソレノイド（駆動装置）１３１と、可動板（可動部材）１３２と、コイルバネ（弾性部材）１３３とを背面側に有する。可動板１３２は、Ｕ字形状の両端１３２ａ，１３２ｂが回動可能に軸支されており、一端１３２ｂの折曲部１３２ｃがプランジャを介してソレノイド１３１と接続される。
【００３４】
また、可動板１３２において、軸支されている部分１３２ａ，１３２ｂとは反対側の端部には、ホルダー本体１１０の正面側に向けて突出したフック１３２ｄが形成されている。フック１３２ｄは、操作装置２００の挿入方向側に傾斜面を有している。
【００３５】
また、ホルダー本体１１０には、このフック１３２ｄが可動板１３２の動きに伴って出没可能な孔１１３が形成されている。この孔１１３は、操作装置２００が収容された状態では、操作装置２００の第１係合孔２４１と対向している。また、コイルバネ１３３は、カバー１４０と可動板１３２との間に設けられ、可動板１３２をホルダー本体１１０の正面側に付勢する。
【００３６】
ソレノイド１３１は、通電時には磁力によりプランジャを吸引することにより、可動板１３２を付勢力とは反対方向に回動させる（図７（ａ），（ｂ）参照）。これにより、可動板１３２は、ソレノイド１３１の非通電時の動きに伴ってフック１３２ｄが孔１１３から突出し、操作装置２００の第１係合孔２４１と係合することで、ロックを掛けることができる。
【００３７】
一方、非通電時にはソレノイド１３１の非磁力によりプランジャの吸引が解消され、コイルバネ１３３によって付勢力と同じ方向に回動させる（図７（ｃ），（ｄ）参照）。これにより、可動板１３２は、ソレノイド１３１の通電時の動きに伴ってフック１３２ｄが孔１１３に没入し、操作装置２００の第１係合孔との係合が外れることにより、ロックを解除することができる。
【００３８】
以上説明したように、本実施の形態におけるホルダー１００は、操作装置２００の取り外しを阻止するロック状態と、操作装置２００の取り外しを可能にする非ロック状態とに切り換えるロック機構１３０を備え、ロック機構１３０は、Ｘ線撮影装置１の非稼働時にロック状態となり、Ｘ線撮影装置１の稼働時に非ロック状態となる。
【００３９】
この構成によれば、非稼働時にロック状態にし、可動時に非ロック状態にするので、Ｘ線撮影装置１の電源オフのときに、操作装置２００を装着した状態でロックすることができる。これにより、Ｘ線撮影装置１と一緒に操作装置２００を管理することができ、また使用しない時や巡回中において操作装置２００から目を離した隙に持ち去られるといった問題もない。したがって、簡単に持ち去りを防止することができる。
【００４０】
また、可動板１３２は、ロック状態で操作装置２００が装着される場合、フック１３２ｄの傾斜面が操作装置２００に当たることにより該フック１３２ｄの突出が押し戻されており、フック１３２ｄが第１係合孔２４１に対向したときに、押し戻されていたフック１３２ｄが突出して、フック１３２ｄが第１係合孔２４１に係合することができる。
【００４１】
なお、ホルダー１００のロック機構１３０は、電源オフのタイミングがＸ線撮影装置１より遅れる構成であってもよい。これにより、Ｘ線撮影装置１が電源オフされたときには、ロック機構１３０に電力供給を継続したまま非ロック状態となり、その後遅れてロック機構１３０への電力供給を停止して、ロック状態となる。この場合において、ソレノイド１３１の代わりに、モーターを使用してもよい。
【００４２】
また、本実施形態において、ソレノイド１３１の非磁性により付勢方向に回動してフック１３２ｄが操作装置２００と係合し、通電時には、ソレノイド１３１が磁性により付勢方向に抗する方向に回動してフック１３２ｄが操作装置２００との係合を解除する構成としたが、これに限定するものではない。フック１３２ｄに磁石を設け、操作装置２００内に鉄芯を設けるようにしてもよい。この場合、非通電時には、磁石の磁性により、鉄心と吸引することで、フック１３２ｄと第１係合孔２４１とが係合してロック状態となり、通電時には、ソレノイド１３１の磁性により、フック１３２ｄが鉄心と離れることで、フック１３２ｄと第１係合孔２４１との係合が解消されて、非ロック状態となる。
【００４３】
また、持ち去り防止部として、操作装置２００がＸ線撮影装置１に設けられたケースの内部に格納されており、ケースが備える開閉部材の開閉が制御されることによって持ち去り防止が実現されるようにしてもよい。
【００４４】
なお、本実施の形態においては、操作装置２００の表面側（オプションスイッチ２２０および第１係合孔２４１）が正面側に露出し、操作装置２００の裏面側が背面側に向いた状態で収容およびロックされる場合を例に説明したが、操作装置２００の裏面側（第２係合孔２４２）がホルダー本体１１０の正面側に露出し、操作装置２００の表面側（オプションスイッチ２２０および第１係合孔２４１）がホルダー本体１１０の背面側に向いた状態で収容およびロックすることも可能である。
【符号の説明】
【００４５】
１  Ｘ線撮影装置（本体装置）
１００  ホルダー（保持機構）
１１０  ホルダー本体（当接部材）
１３０  ロック機構（持ち去り防止部）
１３１  ソレノイド（駆動装置）
１３２  可動板（可動部材）
１３２ｄ  フック
１３３  コイルバネ（弾性部材）
２００  操作装置
２４１  第１係合孔
２４２  第２係合孔
３００  Ｘ線撮影ユニット
【図１】
2017035135.tif 000003
【図２】
2017035135.tif 000004
【図３】
2017035135.tif 000005
【図４】
2017035135.tif 000006
【図５】
2017035135.tif 000007
【図６】
2017035135.tif 000008
【図７】
2017035135.tif 000009